(57)【要約】【課題】ツーバイフォー工法等の枠組壁工法による建物の階間の一体的強度の大幅な向上を図ることができ、ひいては建物全体の強度向上にも寄与する枠組壁工法による建物を提供する。【解決手段】床１の四隅に最上階（例えば２階）までの延びるＬ字状の通し用パネル９を固定し、この通し用パネル９の間に従来の枠付パネルを固定して１階の壁を構築し、その後、２階の床、２階の壁と構築していく。通し用パネル９は、複数の通し柱１１と、これらの通し柱１１の外側を覆う構造用合板１３から構成されている。【選択図】        図２
2006214108.tif 000002
【特許請求の範囲】
【請求項１】
枠組に構造用合板等を固定してなる枠付パネルを用いて箱構造の室内空間を形成し、これを階毎に独立して行って構成された枠組壁工法による建物において、
床面から最上階まで連続して延びる通し用パネルを所定箇所に配置固定し、これを基準として残りの隙間を階毎に枠付パネルで塞いで構成されたことを特徴とする枠組壁工法による建物。
【請求項２】
請求項１記載の枠組壁工法による建物において、
上記通し用パネルは、箱構造の各隅の位置に設けられていることを特徴とする枠組壁工法による建物。
【請求項３】
請求項１又は２記載の枠組壁工法による建物において、
上記通し用パネルは、床面から最上階まで連続して延びる通し柱と、この通し柱を覆う面板からなることを特徴とする枠組壁工法による建物。
【請求項４】
請求項３記載の枠組壁工法による建物において、
上記通し用パネルは、水平断面がＬ字状をなす形状を有していることを特徴とする枠組壁工法による建物。
【請求項５】
請求項４記載の枠組壁工法による建物において、
上記通し柱が水平方向に間隔をおいて複数配置され、Ｌ字状の角部は配置間隔が密になっていることを特徴とする枠組壁工法による建物。
【発明の詳細な説明】
【技術分野】
【０００１】
本発明は、ツーバイフォー工法等の枠組壁工法による建物に関する。
【背景技術】
【０００２】
枠組壁工法は、周知のように、規格材（例えばツーバイフォー工法では２インチ×４インチ材）を基本に組んだ枠組に構造用合板などを打ち付けて、面としての枠付パネルで床面、壁面、天井面を構成するものである。
すなわち、２階建ての場合、１階床、１階壁、２階床、２階壁、屋根の順に面が個別に構築される。従来の軸組工法に比べて、地震の揺れや力を柱ではなく面で受けて分散させる特徴を有しているため、耐震性に優れている。
階毎に独立して面構築がなされるため、階間の一体的強度は必然的に弱くなる。これを克服するために、例えば特開平１０−１４０６５３号公報に開示されているように、１階の壁と２階の床と２階の壁を帯状の金物で連結することが行われている。
【０００３】
【特許文献１】特開平１０−１４０６５３号公報
【発明の開示】
【発明が解決しようとする課題】
【０００４】
上述した、枠組壁工法の弱点ともいえる階間の一体的強度の弱さは帯状の金物で連結することである程度補強することができるが、あくまでも別部材としての金物を当てがった補強であるので、大幅な強度向上は望めない。
枠組壁工法における強度向上の提案は種々なされているが、特許文献１に開示されているように、枠付パネルの構造や取り付け方の改善に向かう趨勢となっており、依然として大幅な強度向上は望めなかった。
【０００５】
本発明は、枠組壁工法による建物の階間の一体的強度の大幅な向上を図ることができ、ひいては建物全体の強度向上にも寄与する枠組壁工法による建物の提供を、その目的とする。
【課題を解決するための手段】
【０００６】
請求項１記載の発明は、枠組に構造用合板等を固定してなる枠付パネルを用いて箱構造の室内空間を形成し、これを階毎に独立して行って構成された枠組壁工法による建物において、床面から最上階まで連続して延びる通し用パネルを所定箇所に配置固定し、これを基準として残りの隙間を階毎に枠付パネルで塞いで構成されたことを特徴とする枠組壁工法による建物である。
【０００７】
請求項２記載の発明は、請求項１記載の枠組壁工法による建物において、上記通し用パネルは、箱構造の各隅の位置に設けられていることを特徴とする枠組壁工法による建物である。
【０００８】
請求項３記載の発明は、請求項１又は２記載の枠組壁工法による建物において、上記通し用パネルは、床面から最上階まで連続して延びる通し柱と、この通し柱を覆う面板からなることを特徴とする枠組壁工法による建物である。
【０００９】
請求項４記載の発明は、請求項３記載の枠組壁工法による建物において、上記通し用パネルは、水平断面がＬ字状をなす形状を有していることを特徴とする枠組壁工法による建物である。
【００１０】
請求項５記載の発明は、請求項４記載の枠組壁工法による建物において、上記通し柱が水平方向に間隔をおいて複数配置され、Ｌ字状の角部は配置間隔が密になっていることを特徴とする枠組壁工法による建物である。
【発明の効果】
【００１１】
本発明によれば、全階に延びる通し柱を有する通し用パネルによって、帯状の金具等による補強を要することなく階間の一体的強度を大幅に向上させることができ、ひいては建物全体の耐震性等の強度を向上させることができる。
また、帯状金具による補強工程が不要となるので、工期を短縮することができる。
【発明を実施するための最良の形態】
【００１２】
以下、本発明の一実施形態を図１乃至図９に基づいて工程順に説明する。
図１は、本実施形態における枠組壁工法の一例としてのツーバイフォー工法による建物の１階部分の床（床組み）を示している。
床１は、コンクリートの基礎３の上に張った（固定した）規格材からなる複数の床材（大引き）５と、この床材５の上に交差状態に張られる図示しない根太から構成され、床材５は所定間隔で配置された鋼製又はプラスチック製の床束７で支持されている。
【００１３】
図２は、床１の四隅に水平断面がＬ字状の通し用パネル９を固定した状態を示している。本実施形態における通し用パネル９は、隅中心から延びる長さがそれぞれ等しい形状（直角等辺アングル材形状）を有している。
通し用パネル９は、最上階（ここでは２階）まで連続して延びる高さを有しており、複数の通し柱（２インチ×４インチ材）１１と、これらの通し柱１１の外側を覆う面板としての構造用合板１３から構成され、さらに通し用パネル９は通し柱１１の上端部に固定された上枠材１２及び通し柱１１の下端部に固定された図示しない下枠材を備えている。通し用パネル９の内側は従来と同様に、例えば断熱材を入れて化粧材で覆われる。本実施形態における構造用合板１３の一辺Ｌの長さは９１０ｍｍ以上である（図４参照）。
【００１４】
各通し用パネル９には、図３に示すように、各辺に沿って３本の通し柱１１が等間隔で配置されているとともに、最も強度が必要とされる隅中心部にはさらに複数（ここでは４本）の通し柱１１が密な間隔で配置されている。図３では床１は省略している。
本実施形態では、図４に示すように、隅中心部には４本の通し柱１１を水平方向に重ねて（束ねて）配置している。このように重ねずに、隅中心部から徐々に間隔を大きくしていく配置形態でもよい。また、４本の通し柱１１に相当する強度の１本の規格通し柱を隅中心部に配置してもよい。
図５は、床材５の上部に構造用合板１５を張って床１を構築した状態を示している。床材５の上には根太１７が交差する方向に張られ、その木間には断熱材が入れられる。その上に構造用合板１５が固定される。
【００１５】
図６は、１階の壁を構築した状態を示している。壁は、通し用パネル９間に従来の階毎に形成される枠付パネル１９、２１、２３を固定することにより構築される。枠付パネル１９は通常の壁面用、枠付パネル２１は窓形成用、枠付パネル２３は扉形成用をそれぞれ示している。
図７は、２階の床２５を構築した状態を示している。１階の床１と同様に、根太１７の上に構造用合板１５を張って構成されている。
【００１６】
図８、図９に示すように、頭つなぎ材１４は通し用パネル９の上枠材１２及び枠付パネル１９、２１の上枠材１２の上面に固定されている。互いに隣接する頭つなぎ材１４の一方側の端部が上枠材１２の端部より後退し、また他方側の頭つなぎ材１４の端部は上枠材１２の端部から突出している。従って、他方側の頭つなぎ材１４の端部は一方側の上枠材１２の上面に接合するようになっている。そして、この上枠材１２の上面に接合する頭つなぎ材１４の上面から釘打ちをすることによって、各パネルどうしを連結する。
図１０は、２階の壁を構築した状態を示している。壁は、１階と同様に、通し用パネル９間に従来の枠付パネル１９、２１、２３を固定することにより構築される。
２階部分が完成したら、図１１に示すように、屋根２７が組まれる。屋根２７はハリケーンタイと呼ばれる図示しないあおり止め金具で２階の構造壁に連結される。その後屋根２７の表面に防水層（防水シート）を設け、さらにその上に瓦等の表面材を張る。
【００１７】
上記実施形態では通し用パネル９の形状をＬ字状としたが、これに限定される趣旨ではなく、帯状であってもその最上階まで延びる一体性によって強度向上を図ることができる。
また、通し柱１１等の規格材の寸法は、２インチ×４インチに限定されず、２インチ×６インチ材、２インチ×８インチ材など、種々の規格材を用いることができる。
【図面の簡単な説明】
【００１８】
【図１】本発明の一実施形態におけるツーバイフォー工法による建物の床の構築状態を示す概要斜視図である。
【図２】床の四隅に通し用パネルを固定した状態を示す斜視図である。
【図３】通し用パネルと通し柱の配置関係を示す概要平面図である。
【図４】１つの通し用パネルの拡大平面図である。
【図５】１階の床を仕上げた状態を示す斜視図である。
【図６】１階の壁面を構築した状態を示す斜視図である。
【図７】２階の床を仕上げた状態を示す斜視図である。
【図８】通し用パネルの上端部の拡大斜視図である。
【図９】通し用パネル及び枠付きパネルの平面図である。
【図１０】２階の壁面を構築した状態を示す斜視図である。
【図１１】屋根を組んだ最終工程の状態を示す斜視図である。
【符号の説明】
【００１９】
９  通し用パネル
１１  通し柱
１３  面板としての構造用合板
１９、２１、２３  枠付パネル
【図１】
2006214108.tif 000003
【図２】
2006214108.tif 000004
【図３】
2006214108.tif 000005
【図４】
2006214108.tif 000006
【図５】
2006214108.tif 000007
【図６】
2006214108.tif 000008
【図７】
2006214108.tif 000009
【図８】
2006214108.tif 000010
【図９】
2006214108.tif 000011
【図１０】
2006214108.tif 000012
【図１１】
2006214108.tif 000013